(57)【要約】【課題】ユーザーがテレビ受像器の設置場所の制約を無くす事ができ、外部装置の赤外線リモコンが送信する操作情報を外部装置に転送できるテレビ受像器を提供する。【解決手段】赤外線リモコンで操作される外部機器と接続可能なテレビ受像器と、テレビ受像器を操作する無線リモコンとからなるテレビ受信システムであって、無線リモコンは、赤外線リモコンのからの操作を受信する赤外線受光部と、赤外線受光部から入力した操作と外部機器を設定した無線通信を作成する制御部と、無線通信を送信する第１の無線通信部と、を備え、受信器は、第１の無線通信部から無線通信を受信する第２の無線通信部と、第２の無線通信部から入力した無線通信から、操作対象の外部機器と操作を取り出す制御部と、制御部が取り出した操作対象の外部機器に操作を通信する通信部と、を備えたことにより、赤外線が届かない場所の外部機器にも、外部機器を操作することができる。【選択図】図１
2011205488.tif 000002
【特許請求の範囲】
【請求項１】
赤外線リモコンで操作される外部機器と接続可能なテレビ受像器と、前記テレビ受像器を操作する無線リモコンとからなるテレビ受信システムであって、
前記無線リモコンは、
前記赤外線リモコンのからの操作情報を受信する赤外線受光部と、
前記赤外線受光部から入力した前記操作情報と操作対象の外部機器を設定した無線通信情報を作成する制御部と、
前記無線通信情報を送信する第１の無線通信部と、
を備え、
前記受信器は、
前記第１の無線通信部から前記無線通信情報を受信する第２の無線通信部と、
前記第２の無線通信部から入力した無線通信情報から、前記操作対象の外部機器と前記操作情報を取り出す制御部と、
前記制御部が取り出した前記操作対象の外部機器に前記操作情報を通信する通信部と、
を備えたことを特徴とするテレビ受信システム。
【発明の詳細な説明】
【技術分野】
【０００１】
本発明は、有線の制御線で相互接続された赤外線リモコンを使用する外部装置６１０と無線リモコンを使用するテレビ受像器５１０との設置性を改善する無線リモコンに関するものである。
【背景技術】
【０００２】
従来の有線の制御線で相互接続された赤外線リモコン６００を使用する外部装置６１０と赤外線リモコン５００を使用するテレビ受像器５１０の構成を図４に示す。従来ユーザーから見てテレビ受像器５１０に接続された外部装置６１０の設置性を良くするために、テレビ受像器５１０と外部装置６１０とを有線の通信線で接続し、相互に操作情報や機器状態情報を通信できるシステムにおいて、図４の構成によりテレビ受像器５１０の赤外線受信器５１６を外部装置６１０の赤外線受信器（図示せず）の代替として使う工夫がされている。
【０００３】
図５はユーザーがテレビ受像器５１０を操作するために赤外線リモコン５００を操作した時に赤外線リモコン５００から発信される情報で、操作する機器のメーカーを識別する識別子（当該機器に予め割り当てられたメーカーコード）と操作する機器を識別する識別子（当該機器に予め割り当てられた機器コード）と操作データ（予め操作に割り当てられた制御コード）からなる。操作情報を受信したテレビ受像器５１０は、操作する機器のメーカーを識別する識別子及び操作する機器を識別する識別子を使い予めテレビ受像器５１０に割り当てられている操作する機器のメーカーを識別する識別子及び操作する機器を識別する識別子の情報を使い一致すれば操作情報に基づき動作する。
また、外部装置６１０の赤外線リモコン６００も図５に示す操作情報を発信し、操作情報を受信したテレビ受像器５１０は、操作する機器のメーカーを識別する識別子及び操作する機器を識別する識別子を使い予め外部装置６１０に割り当てられている操作する機器のメーカーを識別する識別子及び操作する機器を識別する識別子の情報を使い一致すれば有線の制御線を使い外部装置６１０に操作情報を送信する。
【０００４】
図６は、テレビ受像器５１０と外部装置６１０とが有線通信する場合の通信情報で、有線通信の着信相手を識別する識別子と有線通信の発信元を識別する識別子と図５の操作情報からなる。
【０００５】
テレビ受像器５１０の有線通信部５１５はテレビ受像器５１０の制御部５１４から通信情報を受け取ったら、有線通信の着信相手を識別する識別子を参照して、着信相手に通信情報を送る。
外部装置６１０の有線通信部６１５は通信情報を受け取ったら有線通信の着信相手を識別する識別子と予め外部装置６１０に割り当てられている識別子（機器コード値）とが一致したら通信情報を制御部６１４に転送する。
【０００６】
図７を用いてテレビ受像器５１０の赤外線受信器５１６が外部装置６１０の赤外線受信器（図示せず）の代替として働く事の説明をする。
【０００７】
テレビ受像器５１０の赤外線受信器５１６は、外部装置６１０の赤外線リモコン６００が送信する操作情報を受信する（ステップＳ７００）。赤外線受信器５１６は、外部装置６１０の操作情報をテレビ受像器５１０の制御部５１４に送る（ステップＳ７０１）。制御部５１４は赤外線受信器５１６から送られてきた情報を操作情報に含まれる機器識別子によりテレビ受像器５１０向けと外部装置６１０向けとに分ける（ステップＳ７０２）。
【０００８】
ステップＳ７０２において、操作情報がテレビ受像器５１０向けであれば操作情報を解釈してテレビ受像器の状態を更新する（ステップＳ７０３）。
【０００９】
ステップＳ７０２において、操作情報が外部装置６１０向けであれば、外部装置６１０に送信するために図６のフォーマットに習い有線通信の着信相手を識別する識別子に外部装置６１０を設定し、有線通信の発信元を識別する識別子にテレビ受像器５１０を設定し、操作情報を付加して通信情報を作成し、テレビ受像器５１０の有線通信部５１５に送る（ステップＳ７０４）。
【００１０】
有線通信部５１５は制御部５１４から受け取った通信情報を有線通信の着信相手を識別する識別子に基づき解釈し、この場合外部装置６１０に送信する（ステップＳ７０５）。テレビ受像器５１０からの通信情報を受信した外部装置６１０の有線通信部６１５は、外部装置６１０の制御部６１４に通信情報を送信する（ステップＳ７０６）。
通信情報を受信した制御部６１４は、外部装置６１０向けの操作情報を取り出し、その後操作情報を解釈して外部装置６１０の状態を更新する（ステップＳ７０７）。
【先行技術文献】
【特許文献】
【００１１】
【特許文献１】特表平０９−５０４４２０号公報
【発明の概要】
【発明が解決しようとする課題】
【００１２】
前記図4に示す従来の構成では、赤外線リモコンを操作する者とテレビ受像器の赤外線受光部５１６との間が見通しでなければ操作情報を送信出来ない課題があった。近年無線リモコンと無線リモコンを受信するテレビ受像器が発売されテレビ単体での設置場所は、赤外線リモコンを使った場合より赤外線リモコンを操作する者とテレビ受像器の赤外線受光部５１６との間が見通しである必要がないため自由度が高くなった。
ところで、図4に示す従来の構成のテレビ受像器を、無線リモコンの無線を受信出来るテレビ受像器に置き換えて設置場所の自由度が高くなっても、ユーザーが使う外部装置の赤外線リモコンの操作情報はテレビ受像器の赤外線受光部が受信しなければならず設置場所に制約が残る課題があった。本発明は前記の課題を解決するものでユーザーがテレビ受像器の設置場所の制約を無くす事ができ、外部装置の赤外線リモコンが送信する操作情報を外部装置に転送できるテレビ受像器を提供することを目的とする。
【課題を解決するための手段】
【００１３】
前記従来の課題を解決するために、本発明のテレビ受信システムは、赤外線リモコンで操作される外部機器と接続可能なテレビ受像器と、テレビ受像器を操作する無線リモコンとからなるテレビ受信システムであって、無線リモコンは、赤外線リモコンのからの操作情報を受信する赤外線受光部と、赤外線受光部から入力した操作情報と操作対象の外部機器を設定した無線通信情報を作成する制御部と、無線通信情報を送信する第１の無線通信部と、を備え、受信器は、第１の無線通信部から無線通信情報を受信する第２の無線通信部と、第２の無線通信部から入力した無線通信情報から、操作対象の外部機器と操作情報を取り出す制御部と、制御部が取り出した操作対象の外部機器に操作情報を通信する通信部と、を備えたことを特徴とする。
【００１４】
本構成によって、赤外線リモコンの赤外線が届かない場所に外部機器があった場合でも、外部機器を操作可能とすることができる。
【発明の効果】
【００１５】
本発明の無線リモコンシステムによれば、外部装置２１０の赤外線リモコン２００の操作情報を無線リモコンシステムで外部装置２１０に転送できるため無線テレビ１１０の設置場所の制約を無くす事ができ、ユーザーから見て設置性が良く感じる。つまり、本発明の無線リモコンシステムは設置性に問題がない。
【図面の簡単な説明】
【００１６】
【図１】本発明の実施の形態における無線リモコンシステムのブロック図
【図２】無線リモコンから無線テレビへ操作情報を送るフォーマット
【図３（ａ）】本発明の実施の形態におけるフローチャート
【図３（ｂ）】本発明の実施の形態におけるフローチャート
【図３（ｃ）】本発明の実施の形態におけるフローチャート
【図４】従来の形態におけるリモコンシステムのブロック図
【図５】従来の形態において赤外線リモコンから送信される操作情報の構成図
【図６】従来の形態においてテレビと外部機器との通信情報の構成図
【図７（ａ）】従来の形態におけるリモコンシステムのフローチャート
【図７（ｂ）】従来の形態におけるリモコンシステムのフローチャート
【発明を実施するための形態】
【００１７】
以下本発明を実施するための形態について、図面を参照しながら説明する。
【実施例１】
【００１８】
図１は、本発明の実施の形態に係る無線リモコンシステムのブロック図である。
【００１９】
無線リモコンシステムは無線リモコン１００と無線テレビ１１０と赤外線リモコン２００と外部装置２１０とで構成され無線テレビ１１０と外部装置２１０とは有線の制御線で接続されている。
【００２０】
最初に赤外線リモコン２００について説明する。赤外線リモコン２００は赤外線送信部２０１から構成される。赤外線送信部２０１は図示されていないキー操作に対応した操作の情報を図５の形式に習いメーカー識別子、機器種別識別子、操作用データを設定し赤外線信号により無線リモコン１００に送信する。
【００２１】
次に無線リモコン１００について説明する。無線リモコン１００は、赤外線受光部１０６、無線通信部１０３、制御部１０４から構成される。
無線リモコン１００は赤外線リモコン２００からの操作情報を赤外線信号として受信する。
【００２２】
赤外線受光部１０６は、赤外線リモコン２００からの操作情報を赤外線信号により入力し制御部１０４に送る。
図２は、無線リモコン１００から無線テレビ１１０へ無線通信する際の無線通信情報で、送信するデータを発生させた機器を識別する識別子と図５に示す形式の操作情報からなる。
【００２３】
制御部１０４は、無線テレビ１１０向けと外部装置２１０向けとを区別するため図２の形式に習い送信するデータを発信した機器を識別する識別子として外部装置を設定し、操作情報を付加した無線通信情報を無線通信部１０３に送る。
【００２４】
また、制御部１０４は図示されていないキー操作が発生した場合は、キー操作に対応した操作情報を図２の形式に習い送信するデータを発信した機器を識別する識別子として無線テレビ１１０を設定し、操作情報を付加した無線通信情報を無線通信部１０３に送る。
【００２５】
無線通信部１０３は、制御部１０４から来た無線通信情報を無線テレビ１１０へ無線送信する。
【００２６】
次に、無線テレビ１１０について説明する。無線テレビ１１０は、無線通信部１１３、有線通信部１１５、制御部１１４から構成される。
【００２７】
無線通信部１１３は、無線リモコン１００から来た図２の形式の無線通信情報を制御部１１４に送る。
【００２８】
制御部１１４は、無線通信部１１３から来た図２の形式の無線通信情報の送信するデータを発信した機器を識別する識別子が外部装置２１０の識別子であれば、外部装置２１０向けと判別し、外部装置２１０に送信するため従来構成と同様に図６の形式に習い有線通信の着信相手を識別する識別子に外部装置２１０を設定し、有線通信の発信元を識別する識別しに無線テレビ１１０を設定し、無線通信情報から取り出した操作情報を付加して通信情報を作り、有線通信部１１５に送る。また、無線通信情報の送信するデータを発信した機器を識別する識別子が無線テレビ１１０の識別子であれば、無線テレビ１１０向けと判別し、無線通情報から取り出した操作情報を解釈して無線テレビ１１０の状態を更新する。
【００２９】
有線通信部１１５は、制御部１１４から図６の形式の通信情報を受け取り、有線通信の着信相手を識別する識別子を判断し、この場合外部装置２１０に通信情報を送る。
【００３０】
最後に外部装置２１０について説明する。外部装置２１０は、制御部２１４と有線通信部２１５とから構成される。
【００３１】
有線通信部２１５は無線テレビ１１０から送られてきた図６の形式の通信情報を受信する、受信した通信情報の有線通信の着信相手を識別する識別子が予め外部装置２１０に割り当てられた識別子と一致したら、通信情報を制御部２１４に送る。
【００３２】
制御部２１４は有線通信部２１５から来た図６の形式の通信情報を受け取り、操作情報を解釈して外部装置２１０の状態を更新する。
【００３３】
図３を用いて無線リモコン１００の赤外線受光部１０６が外部装置２１０の赤外線受信器（図示せず）の代替として働く事をの説明をする。
【００３４】
無線リモコンの１００の赤外線受光部１０６は、外部装置２１０の赤外線リモコン２００が送信する操作情報を受信する（ステップＳ３００）。
【００３５】
赤外線受光部１０６は、赤外線リモコン２００の操作情報を制御部１０４に送る（ステップＳ３０１）。制御部１０４は送られてきた操作情報を基に、図２の形式に習い送信するデータを発生させた機器を識別する識別しとして操作情報に含まれる操作する機器を識別する識別子を設定し、操作情報を付加して無線通信情報を作成し、無線通信部１０３に送る（ステップＳ３０２）。
【００３６】
無線通信部１０３は、制御部１０４から送られてきた図２の形式の無線通信情報を無線テレビ１１０に送信する（ステップＳ３０３）。無線テレビ１１０の無線通信部１１３は、無線リモコン１００から送られてきた図２の形式の無線通信情報を受信して、制御部１１４に送る（ステップＳ３０４）制御部１１４は無線通信部１１３から来た図２の形式の無線通信情報を解釈する（ステップＳ３０５）。
【００３７】
ステップＳ３０５において、無線テレビ１１０向けであれば無線テレビ１１０の状態を更新する。（ステップＳ３０６）
また、操作情報が外部装置２１０向けであれば、外部装置２１０に送信するために図６のフォーマットに習い有線通信の着信相手を識別する識別子に外部装置２１０を設定し、有線通信の発信元を識別する識別子にテレビ受像器１１０を設定し、操作情報を付加して通信情報を作成し、テレビ受像器１１０の有線通信部１１５に送る（ステップＳ３０７）。
【００３８】
有線通信部１１５は制御部１１４から受け取った通信情報を有線通信の着信相手を識別する識別子に基づき解釈し、この場合外部装置２１０に送信する（ステップＳ３０８）。
【００３９】
無線テレビ１１０からの通信情報を受信した外部装置２１０の有線通信部２１５は、制御部２１４に通信情報を送信する（ステップＳ３０９）。
【００４０】
通信情報を受信した制御部２１４は図６のフォーマットに習い外部装置２１０向けの操作情報を取り出し、その後操作情報を解釈して外部装置２１０の状態を更新する（ステップＳ３１０）。
【００４１】
かかる構成によれば、無線リモコン１００に赤外線受光部１０６を設け、外部装置の赤外線リモコン２００の操作情報を受信し、無線通信で無線テレビ１１０へ操作情報を転送する仕組みを構築することで、ユーザーが操作する赤外線リモコンと従来テレビ受像器にあった赤外線受光部との間の見通しを確保する必要がなくなり、無線リモコンシステムの設置場所に制約がなくなる。
【００４２】
なお、本実施例において、無線リモコンシステムの実施例として外部装置２１０を設けたが、有線の制御線に接続された外部装置と当該外部装置に対応する赤外線リモコンは複数台としても良い。
【産業上の利用可能性】
【００４３】
本発明にかかる無線リモコンシステムは、外部装置の赤外線リモコンの操作情報を無線リモコンシステムで外部装置に転送できるためテレビ受像器の設置場所の制約を無くす事ができ、ユーザーから見て設置性が良く感じるので、有線の制御線で相互接続された赤外線リモコンを使用する外部装置と無線リモコンを使用するテレビ受像器との設置性の改善として有用である。
【符号の説明】
【００４４】
１００    無線リモコン
１０３    無線通信部
１０４    制御部
１０６    赤外線受光部
１１０    無線テレビ
１１３    無線通信部
１１４    制御部
１１５    有線通信部
２００    外部装置の赤外線リモコン
２０１    赤外線送信部
２１０    外部装置
２１４    制御部
２１５    有線通信部
【図１】
2011205488.tif 000003
【図２】
2011205488.tif 000004
【図３（ａ）】
2011205488.tif 000005
【図３（ｂ）】
2011205488.tif 000006
【図３（ｃ）】
2011205488.tif 000007
【図４】
2011205488.tif 000008
【図５】
2011205488.tif 000009
【図６】
2011205488.tif 000010
【図７（ａ）】
2011205488.tif 000011
【図７（ｂ）】
2011205488.tif 000012